(57)【要約】【課題】河川において魚類などの水棲生物の移動の障害となる堰や落差工などに付設することにより、鳥類などの外敵からの避難場所や休息場を有し、棲み処や餌場を提供し、更に経済性や安全性を追求した、魚道形成用部材およびこれを用いた水路式魚道を提供する。【解決手段】半小判形状や長半楕円形状や半円型状の断面形を錐状に形成して、表面を傾斜させた形状を基本とした魚道形成用部材を既存の水路形成用ブロックに複数設置した水路式魚道とする。 【選択図】図３８
2005282287.tif 000002
【特許請求の範囲】
【請求項１】
Ｕ型、Ｌ型または箱型の水路形成用ブロック内で水流に対して横断方向に設置する魚道形成用部材と水路形成用ブロックにおいて、該魚道形成用部材の一端側の断面形状を半小判形状や長半楕円形状や半円型状のように上面をほぼ曲線状として、他端側を前記断面形状とほぼ相似形に構成し、両端間の上面をほぼ一様の勾配で連続する傾斜部にするとともに、該魚道形成用部材の水流方向に対する壁厚を一定厚又は錐状に厚くして、滑面あるいは粗面の表面構成としたものを、水路形成用ブロックのほぼ水路幅に合わせたり、または種々の大きさからなる該魚道形成用部材同士を水路幅方向に組合せて延長し前記傾斜部をＶ型や山型あるいは段状に構築し、これらの魚道形成用部材を水流方向に列状や千鳥状あるいは水路形成用ブロック内壁と該魚道形成用部材の一端側に隙間を設けてつづら折り状に一定間隔で配置し、前記傾斜部によって水路形成用ブロック内に低水深から高水深まで連続した越流水深を得るとともに、該魚道形成用部材間にほぼ滞留状の水帯域を構築できるようにしたことを特徴とする魚道形成用部材、及び該部材を組合せてなる水路式魚道ブロック。
【請求項２】
魚道形成用部材の根元あるいは中間部分に孔を開設したり、両端部に切り欠き、あるいは魚道形成用部材の下流側に段部を設けて外敵からの避難場所や休憩場を形成したことを特徴とする請求項１に記載の魚道形成用部材、及び該部材を組合せてなる水路式魚道ブロック。
【請求項３】
魚道形成用部材の一部あるいは全体をポーラスコンクリートで形成し、流速を緩和したり、通水による浄化機能を付加したことを特徴とする請求項１および２に記載の魚道形成用部材、及び該部材を組合せてなる水路式魚道ブロック。
【発明の詳細な説明】
【技術分野】
【０００１】
本発明は、河川や農業用の用・排水路等において魚類など水棲生物の移動の障害となる落差工、頭首工、堰、ダム等に部分的または全体的に付設することで、鳥類などの外敵からの避難場所や休息場にもなり、棲み処や餌場も提供することができ、さらに稚魚から成魚まで千差万偏の魚種の遡上や降下を可能とする、水路式魚道ブロック部材及び既存の水路形成用ブロックに関するものである。
【背景技術】
【０００２】
従来から河川勾配の急な箇所では河床の安定を計り、一定流速に押えるため落差工や頭首工を設けたり、貯水を兼ねた堰、ダム等が形成されている。このような構造物によって水流は上流側と下流側に分断されてしまい、魚介類の遡上・降下を妨げている。それを防止するため従来は現場打ちコンクリートで、近年はプレキャストコンクリートで種々の魚道が設置あるいは提案されている。
【０００３】
従来から提案され利用されている魚道は種々の構造のものがあるが、水理構造の違いによって次のように大別される。
プールタイプ、ストリームタイプ、オペレーションタイプなどである。さらにプールタイプは、階段式・バーチカルスロット式・潜孔式、ストリームタイプは、デニール式・粗石付き斜曲面式・導流壁式・人工河道式、オペレーションタイプは、リフト式／エレベーター式・ロックゲート式・ブレードレス・ポンプ式などがある。
【０００４】
プレキャストコンクリート製の魚道構成用部材を種々のプレキャストコンクリート水路と組み合わせたものとして特開平１１−３１５５２８号公報があり、また、粗石付き斜面をコンクリートでプレキャスト化したものとしては特開２００２−６９９９１号公報などがある。
【特許文献１】特開平１１−３１５５２８号公報
【特許文献２】特開２００２−６９９９１号公報
【発明の開示】
【発明が解決しようとする課題】
【０００５】
上記のように様々の構造の魚道が開発され、そのほとんどは現場打ちコンクリートで製作されており、それに代えてプレキャストコンクリート製の魚道構成用部材を部分的に水路内に利用したものや、全面的にプレキャストコンクリート製とした魚道など、各種の提案がなされている。
【０００６】
しかし、現場打ちの魚道は掘削、型組み、配筋、コンクリート打設、脱型と施工に時間と手間がかかる。又、現場打ちに代えて省人、省力化を計るため種々のプレキャスト製品が提案され使用されているが、河川毎に河川の幅、流量、勾配、対象魚種などの条件が複雑に異なるため、設置条件に合わせて形状、機能を変更しなければならず、同一形状で大量生産に適したプレキャストコンクリートでは、型枠の流用が困難であり必然的に型枠費が嵩むなどプレキャストの利点を活かすことができず、経済的でない。
【０００７】
さらに、これまでのものでは魚道を通過する過程での休憩場などの必要性、魚道の性能を持続させるための維持管理費の問題、魚種選択性の問題が山積している。本出願人側はこのような課題があるなかで、種々の魚道を提案してきた。しかし、景気の低迷が続くなかで予算上の新たな問題も発生している。これまでの生態学的、水理学的課題を解消し、且つ現在の情勢に合わせたトータルコスト、ロングサイクルコストのより一層の低下を図った魚道が求められている。
【０００８】
従前の魚道に共通する課題をより詳しく説明すると次のようである。施工にあたっては河川の水を部分的あるいは横断方向に塞ぎ止め、迂回路を形成させ、基礎形成後製品を据え付けることになり、施工が長期間に渡って行われる。施工期間中に周辺に生棲する魚介類の生活への影響も深刻な課題であり、短時間に施工を終了させる必要がある。
【０００９】
更に、近年の河川工事の傾向としては、多自然型工法の採用によって、あるいは河川法、土地改良法の改正により、自然に近くかつ周囲の景観に調和したものが要求されるようになってきている。しかし、従来の魚道の多くは機械的な構成で無機質な印象のものが多く、景観的配慮を大きく欠いている。
【課題を解決するための手段】
【００１０】
本発明は、上記したような従来技術における課題を解消することについて検討を重ねて創案されたものである。従来一般に水路形成用として使用されてきたＵ形、Ｌ形または箱形ブロックは形状が単純で寸法も大から小まで多数用意されていて生産性が良く、コスト的に低廉で、強度上も問題がなく、これらを主に河川外に施工することで、河川環境を乱すことなく、農業水路においては新設あるいは既設の用排水路に設置することができることから、本発明の魚道はこれらのブロックを用いながら魚道形成用部材を組合せないし加工を施こすことによって好ましい水路式魚道ブロックあるいはブロックを用いた水路式魚道を形成することに成功したもので以下の如くである。
【００１１】
（１）  Ｕ型、Ｌ型または箱型の水路形成用ブロック内で水流に対して横断方向に設置する魚道形成用部材と水路形成用ブロックにおいて、該魚道形成用部材の一端側の断面形状を半小判形状や長半楕円形状や半円型状のように上面をほぼ曲線状として、他端側を前記断面形状とほぼ相似形に構成し、両端間の上面をほぼ一様の勾配で連続する傾斜部にするとともに、該魚道形成用部材の水流方向に対する壁厚を一定厚又は錐状に厚くして、滑面あるいは粗面の表面構成としたものを、水路形成用ブロックのほぼ水路幅に合わせたり、または種々の大きさからなる該魚道形成用部材同士を水路幅方向に組合せて延長し前記傾斜部をＶ型や山型あるいは段状に構築し、これらの魚道形成用部材を水流方向に列状や千鳥状あるいは水路形成用ブロック内壁と該魚道形成用部材の一端側に隙間を設けてつづら折り状に一定間隔で配置し、前記傾斜部によって水路形成用ブロック内に低水深から高水深まで連続した越流水深を得るとともに、該魚道形成用部材間にほぼ滞留状の水帯域を構築できるようにしたことを特徴とする魚道形成用部材、及び該部材を組合せてなる水路式魚道ブロック。
【００１２】
（２）  魚道形成用部材の根元あるいは中間部分に孔を開設したり、両端部に切り欠き、あるいは魚道形成用部材の下流側に段部を設けて外敵からの避難場所や休憩場を形成したことを特徴とする前記（１）項に記載の魚道形成用部材、及び該部材を組合せてなる水路式魚道ブロック。
【００１３】
（３）  魚道形成用部材の一部あるいは全体をポーラスコンクリートで形成し、流速を緩和したり、通水による浄化機能を付加したことを特徴とする前記（１）項および（２）項に記載の魚道形成用部材、及び該部材を組合せてなる水路式魚道ブロック。
【発明の効果】
【００１４】
上記したような本発明によるならば水路形成用ブロックに魚道形成用部材を組合せて簡単に好ましい水路式魚道ブロックを形成し、魚類その他の水辺生物と共存し、また一般に使用されているＵ形、Ｌ形または箱形ブロック等をそのまま、あるいは一部加工して利用するものであることからして比較的低コストで、しかも維持管理や管理者の安全性その他の特性に優れた効果を有しており、工業的にその効果の大きい発明である。
【発明を実施するための最良の形態】
【００１５】
上記したような本発明によるものの具体的な実施態様を各図によって説明すると、図１には本発明で用いる水路形成用Ｕ形ブロック１の基本的態様が示され、断面Ｕ形として形成されたＵ形ブロック１の側壁の両端上部および底部両側にはそれぞれ突出部４及び４ａが一体として形成され、両側壁３、３間に水路２が形成されている。即ちこのようなＵ形ブロック１自体は従来から知られたもので、これらを基本態様とした多様な亜種製品が広く普及しており、本発明においてはこのようなブロック１を基本的にそのままないし部分的に変更して採用することで、量産性、低コスト性、ならびに強度特性などの従前の水路が有する優位性を享受できる。
【００１６】
上記したようなＵ形ブロック１を部分変形して採用する基本的な態様の１つは図２に示されている如くで、前記したような側壁３の底部両側の突出部４ａを外したものである。このような水路形成用部材に、本発明において最も基本的な形状である図３に示されるような魚道形成用部材５を組込んで図４、図５に示すような水路式魚道ブロック８を列設して水路式魚道を形成する。
【００１７】
また本発明によるものは落差の大きい場所において地表に露出させない条件下で暗渠化した水路式魚道として実施することができ、このような場合には図６に示すような箱型ブロック９を採用し、図４、図５に示したものと同様に魚道形成用部材５を組込み、暗渠化した水路式魚道を形成する。
【００１８】
上述のように設置された水路式魚道での図３に示されるような魚道形成用部材５の形はもっとも単純な基本形であり、取付け方法や水路の条件に合わせて利用する。魚道形成用部材の長手方向の一端の断面は図７に示すように半円型状１０や図８に示した長半楕円形状１１、ならびに図９に示した半小判形状１２とし、他端もこれらとほぼ相似形とし、端面間を一定の勾配で傾斜させた上面形状を有し、水流方向に対する壁厚を一定や錐状に形成する。このような形状を基本として、ある一定長さのこの種のブロック形成用の型枠を用意して、水路幅に合わせて、長手方向に対して型枠に適宜仕切板を入れて製造することで既存のＵ型、Ｌ型または箱型ブロック水路の水路幅に自在に合わせることが出来、汎用性が高く、魚道を形成する費用も抑えることができる。尚、図７〜図９に示すような半円型状１０や長半楕円形状１１や半小判形状１２の断面のＲ部分の最小半径は５０ｍｍ〜２００ｍｍとして、これらの断面をそれぞれ魚道形成用部材の長手方向に対して越流部の上面を１０％〜３０％の一様な勾配で形成し、魚道形成用部材の壁厚は一定或は錐状に形成している。即ちこのような図３のような魚道形成用部材５が水路中に水流方向に対し横向き列状または千鳥状に配置されることによって、断面が河川や農業用・排水路の流れの横断方向に傾斜する溢流部をもち、魚道形成用部材間がプール部を形成して、越流水深が水流の横断方向に対して低水深から高水深に変化し、多様な流速と水深によって魚の大きさや遊泳力に見合った遡上、降下を可能にする魚道水路を形成する。さらに川を遡上する魚は白色系より明度の低い魚道の方を好むというデータもあることから魚道形成用部材５を最も明度の低い黒色に着色することにより、魚類などの水棲生物がさらに遡上、降下しやすい水路をも作成することができる。
【００１９】
また、上記したＵ形ブロック１は図１０と図１１に示す如く、水路幅を自在に調整できるＬ形ブロック１３、傾斜Ｌ形ブロック１５として水路を分割して成形し、底板部を現場打ち鉄筋コンクリート１４あるいは連結金具１６で一体化してＵ形に形成することができるが、これらは一例であって、いろいろな使い方が可能であり、それらについては代表的なＵ形ブロックを主体として以下に説明する。
【００２０】
図１２〜図２８にはＵ形ブロック内に魚道形成用部材を配設、固定するのに好ましい態様が示されている。まず図１２〜図１５に示したものは水路ブロック１の底版に嵌合穴１７を形成したものである。図１３及び図１４に示したように魚道形成用部材５の底面に予め突き出し埋設したアンカー筋１８を図１５に示したように水路ブロック１の嵌合穴１７に差込み、嵌合穴１７とアンカー筋１８との間をモルタルやセメントペーストその他の接着剤２２で固着させて魚道形成用部材を水路に固定する。魚道形成用部材の両端の面取り構成は水路ブロック１の内側の側壁と底版の接合部の曲面形状を回避するためのもので、適宜成されるものである。なお、嵌合穴の形状は図示した丸穴に限らず、角穴、円錐状、角錐状など適宜の形状を選択すればよい。
【００２１】
また別の配設、固定方法として図１６〜図１８に示したものは、まず、水路ブロック１の底版にインサート部体２０を予め埋め込む。次に図１７及び図１８に示したように魚道形成用部材５の上部から下部に貫通する貫通穴２１を開設し、先のインサート部体２０に螺子切りされたアンカー筋１８を差込みその上から魚道形成用部材を被せてモルタル等２２で固着させて一体化するものである。インサート部体２０は予め埋め込む他に、直接水路ブロック１の底版にアンカー筋を後で埋め込んだものを利用することもできる。以上の嵌合穴やインサートの埋設方法は既設の水路ブロックにも現場で加工して開孔することで適用することができる。
【００２２】
さらに別の配設、固定方法としては、図１９に示したように水路ブロック１の底版の上面に嵌合凹部２４を形成し、図２０及び図２１に示したように魚道形成用部材５の底面に設けた嵌合凸部２５を図２２に示したように嵌合させ、その界面にモルタルまたは接着剤２２で固着させ一体化させたものである。
【００２３】
図２３〜図２１５に示したものは、水路ブロック１の両側壁内面に凹部２３を形成し、図２４に示した魚道形成用部材５を差込可能としたものである。接合面には適宜接着剤を用いて固着させることができるが、あえて固着させず取り外し可能とすることで魚道形成用部材のレイアウトを適宜容易に変更することが可能となる。
【００２４】
また別の配設、固定方法としては、図２６〜図２８に示した。図２６に示したように水路ブロック１の底版上面に魚道形成用部材の底部外縁形状とほぼ同型の嵌合凹部２６を配置し、そこに図２７に示した魚道形成用部材５を図２８に示したように嵌合させるものである。接合面には適宜接着材を利用して一体化を強固にすることができる。
以上、魚道形成用部材と水路ブロックとの一体化の方法について述べたが、これらの方法は適宜組み合わされて利用することができることを付け加えておく。
このように、特にアンカー筋やインサートのような一般的な固定具を水路ブロックに取付けることは容易にできることから汎用性が大幅に広がり、魚道形成用部材のレイアウトの変更も容易に行うことができる。
【００２５】
以上のような本発明の魚道は多様な流速を形成する水路式魚道で、魚道形成用部材間は滞留域を形成する。特に魚道形成用部材を同じ向きで連続して配置した場合は、魚道形成用部材間の非越流部又は低越流水深部間の流れが滞留しやくプール状を呈し、遊泳力の弱い魚種の休息場となる。また魚道形成用部材を千鳥状に配置した場合は、魚道形成用部材間の流れが斜流となり全体として蛇行するので流速を落とせると供に、非越流部又は低越流水深部間で流れの停滞域を形成し、より遊泳力の弱い魚種に適する。魚道形成用部材５の基本的形状は図３及び図７〜図９に示したものであるが、この応用として、図２９に示したように魚道形成用部材５の表面に洗い出し模様２７を取り付けたものや、図３０〜図３１に示したように魚道形成用部材５の表面に自然石状の擬石模様または擬岩模様２８や玉石模様２９を取り付けたものを採用することで、その形状から流れの多様性を増すことができ、景観的にも自然らしくなる。
【００２６】
また、図３２及び図３３に示すように魚道形成用部材５の表面や側面部に円状や様々な形状の孔や切り欠き３０を一つまたは複数開けて貫通させたものも採用することができる。孔３０を開ける位置や大きさ、形状を適宜変化させることで魚道内の流速の上昇を抑えたり、図３３に示したように底部に隧道状の孔３０を設けた場合は底生魚の遡上を助け、水棲昆虫の生息場ともなり、遡上魚に休息場と餌場を提供する。また、これらの孔３０は遡上魚が川鵜やサギなどの鳥類から摂食されるのを防ぐこともでき、鳥類の食害対策として有効である。
【００２７】
また、上記までの魚道形成用部材の基になっている形状は一方を高く、他方を低くし、一様に一定勾配の傾斜となっている。そこで、図３４〜図３６に示すように魚道形成用部材５の勾配をひとつの一定勾配とするだけでなく、勾配に変化点３１を設け、その変化点から逆勾配としたり、図３６に示したように繋ぎ併せることで種々の水路幅に対して自在に対応でき、さらに段差３１をつけることによってプール部分の位置や大きさ、澪筋の蛇行の緩和、流速の調節も行うことができ、せせらぎを演出することもできる。念の為付け加えるならば、これらのブロックは適宜自在に組み合わせることができ、その配置間隔も自在に構成することができる。もちろん、このような魚道形成用部材でもまた、図１２〜図２８に示した設置方法を適宜に採用、組み合わせて実施することができる。
【００２８】
上記までの魚道形成用部材の主な材質は通常のコンクリートであった。そこで材質を通常のコンクリートだけではなく、図３７〜４１に示したように一部や全部をポーラスコンクリート３２により作成することで、その特徴から様々な効果を奏することができる。この材料は連続した多数の空隙を有し、通水性があり、種々の粒径の骨材を利用して空隙率や透水係数を適宜変えることができる。このポーラスコンクリートの使用により魚道内の粗度係数を変化させ、魚道内の流速を調節することも可能になる。さらにポーラスコンクリートは多孔質空間が通常のコンクリートよりも多いことから、空隙部にコケなどの藻類や水草などの植生や繁茂を促進させることができ、さらに魚道内の粗度が多様性を増して、魚類などの水棲生物の生育に適した環境を構築できる。魚類のみならず、藻類や葉状植物、ならびに底生性物の生育環境を構築し、周囲との景観にも自然状態と同様の好印象を与える水路を作成することもできる。また、ポーラスコンクリートの骨材粒径を種々選択し空隙率を変えることで透水係数に変化を持たせて、より緻密に水路内の流速分布に多様性を与えることができ、空隙による礫間接触酸化による水質浄化を行える。これらポーラスコンクリートを採用したものでも現場の条件によって、図１３や図２４のような切り欠きや面取構成１９や図３２及び図３３に示したような孔３０、上述した図３４〜図３６に示した勾配の変化点３１、段差３１を設けることもできるし、さらにゼオライト等をポーラスコンクリートに組み込むことで魚道内の水質浄化機能の強化を行うこともできるし、家庭ゴミ溶融スラグや石炭灰など種々の産業廃棄物等を利用したリサイクル資材を骨材や混和材として適宜利用することができる。今回の各種水路形成用ブロックに対して魚道形成用部材の設置方法は、上述したものと同じように、図１２〜図２８に示す如く接着剤などによる設置方法を適宜に採用して実施することができる。
【００２９】
また、上記では魚道形成用部材５の材質を変えたものについて記述したが、同様に材質を変えてみるという点で、材質はコンクリートに限定するものではなく、間伐材や廃木材を使用することもでき、コスト面と環境問題の両方に対応することができる。もちろん木材という材質の特徴から腐食性など維持管理の問題も生じてくるが、環境にやさしい木材保護塗料を使用することによりこの問題にも対応することができる。
【００３０】
また、既存の製品と組み合わせることでより効果を期待することができる。具体的には、水棲生物の休憩場所や避難場所にもなる淵処を作成した図４２及び図４３に示したような淵処水路３３と水路形成部材を組合わせることでも上記と同様の効果以上のものが期待できる。
【００３１】
図４４〜図４７は、魚道形成用部材の断面の別の例を示したものである。
魚道形成用部材の下流側の側方に内側に窪んだ段部３４を部分的、または長手方向全長に渡って設けたもので、遡上中の魚類の休息場、および鳥類などからの隠れ場として機能するものである。
【００３２】
図４８〜図５０は、魚道形成用部材５の設置例を示したものである。魚道形成用部材５の一端側と水路形成用ブロック内壁に隙間を設け、つづら折り状の流れを構築し、これと湾処を組み合わせたものである。水流をつづら折り状の蛇行流にして流速を落とし、さらに湾処と組合せることで流れに滞留域を設け、遡上途中の魚類の休憩場として利用できるものである。また、湾処が魚類の産卵場や隠れ家、さらに植生域としても利用でき、視覚的にも自然さを増すことができるものである。図４８はこれらを斜視図として表したものであり、図４９は平面図、図５０は正面図として捉えたものである。
【００３３】
本発明によるものは新設あるいは既設を問わず、Ｕ形、Ｌ形または箱形の水路形成用ブロックと魚道水路形成用部材を組合わせた水路式魚道ブロックとして水路内に魚道を形成し、これを列設して水路式魚道とするようにしたことにより製作が容易で強度的にも好ましく容易に入手することのできる大小の規格をもったＵ形、Ｌ形または箱形ブロックのメリットを充分に活かし、各種の魚道形成用部材と組み合せることにより外付けを主体とすることから現況の河川構造物や生息環境を破壊することなく、河川の大きさ、流量、設置箇所の地形、ならびに遡上、降下する対象魚介類に合せて最も適した大きさと機能をもつ水路式魚道ブロックを選択することができ、農業水路に自然環境によく適合し、またブロックを比較的低コストに提供せしめ、施工も容易で工期も早いので非常に経済的でもある。特にＵ形ブロックは水路形成ブロックとして一般的に普及し、比較的低コストであると共に強度的にも好ましいものであって、このものを主体として採用し魚道水路形成用部材を組合わせることによって本発明の特質性、有利性をさらに高度に得しめる。また、本発明の魚道形成用部材は、これまで水路形成用ブロックとの組み合わせについて述べてきたが、無論現場打ちコンクリートや、各種護岸及び護床に用いられている天然・人工構築物と組み合わせることも容易である。
【産業上の利用可能性】
【００３４】
以上説明したような本発明によるならば、既設水路との組み合わせが容易で、施工期間を従来に較べて著しく短縮でき、施工による環境負荷を大きく低減させることができる。また、魚道形成用部材の上部断面が曲線状であるため水流が滑らかに流下し、魚類への水流による衝撃を緩和させることができるとともに、前記曲線状であるため水路底に泥などが堆積しにくいものとなっている。以上のことから低コストで維持管理も少なく、ロングライフサイクルコストに優れた魚道を構築できる。さらに本発明の魚道をスケールダウンし、農地やその周辺に流れる用排水路と水田との間に設置することで、広範囲の面域にわたる多種多様な動物のアクセス路として大規模な動植物ネットワークを構築することができる。
【図面の簡単な説明】
【００３５】
【図１】本発明において採用するＵ形水路形成用ブロックの１例を示した斜面図である。
【図２】本発明においてＵ形ブロックを部分変形して採用する基本的な態様の１つを示した斜面図である。
【図３】本発明において採用する魚道形成用部材の最も基本的な形の１例を示した斜面図である。
【図４】図１または図２に示したような魚道水路形成用部材と図３の水路形成用ブロックを組合せて用いて形成された本発明水路式魚道ブロックを列設してなる水路式魚道の１例についての斜面図である。
【図５】図１または図２に示したような魚道水路形成用部材と図３の水路形成用ブロックを組合せて用いて形成された本発明水路式魚道ブロックを列設してなる水路式魚道の１例についての断面図である。
【図６】本発明において採用する箱形水路形成用ブロックの１例を示した斜面図である。
【図７】本発明において採用する魚道形成用部材の代表的な断面形状を示したものである。
【図８】本発明において採用する魚道形成用部材の代表的な断面形状を示したものである。
【図９】本発明において採用する魚道形成用部材の代表的な断面形状を示したものである。
【図１０】Ｌ形ブロックを対設して水路幅を自在に調整するようにした本発明部体Ｌ形水路形成用ブロックの１例を示した斜面図である。
【図１１】側壁部を傾斜させた図８と同様な傾斜Ｌ形水路形成用ブロック部体を対設して金具などの固定部材で水路幅を形成することを示した斜面図である。
【図１２】水路形成用ブロックと魚道形成用部材の取り付け方を示したものである。
【図１３】水路形成用ブロックと魚道形成用部材の取り付け方を示したものである。
【図１４】水路形成用ブロックと魚道形成用部材の取り付け方を示したものである。
【図１５】水路形成用ブロックと魚道形成用部材の取り付け方を示したものである。
【図１６】水路形成用ブロックと魚道形成用部材の取り付け方を示したものである。
【図１７】水路形成用ブロックと魚道形成用部材の取り付け方を示したものである。
【図１８】水路形成用ブロックと魚道形成用部材の取り付け方を示したものである。
【図１９】水路形成用ブロックと魚道形成用部材の取り付け方を示したものである。
【図２０】水路形成用ブロックと魚道形成用部材の取り付け方を示したものである。
【図２１】水路形成用ブロックと魚道形成用部材の取り付け方を示したものである。
【図２２】水路形成用ブロックと魚道形成用部材の取り付け方を示したものである。
【図２３】水路形成用ブロックと魚道形成用部材の取り付け方を示したものである。
【図２４】水路形成用ブロックと魚道形成用部材の取り付け方を示したものである。
【図２５】水路形成用ブロックと魚道形成用部材の取り付け方を示したものである。
【図２６】水路形成用ブロックと魚道形成用部材の取り付け方を示したものである。
【図２７】水路形成用ブロックと魚道形成用部材の取り付け方を示したものである。
【図２８】水路形成用ブロックと魚道形成用部材の取り付け方を示したものである。
【図２９】表面を洗い出し仕上げした魚道形成用部材である。
【図３０】表面を擬岩模様にした魚道形成用部材である。
【図３１】表面を玉石状にした魚道形成用部材である。
【図３２】魚道形成用部材に孔を開設したものである。
【図３３】魚道形成用部材の底部に隧道状の孔を設けたものである。
【図３４】魚道形成用部材同士を対わせて勾配に変化点を設けたものである。
【図３５】魚道形成用部材同士を対わせて勾配に変化点を設けたものである。
【図３６】魚道形成用部材に段差を設け、さらに対わせたものである。
【図３７】魚道形成用部材の上部をポーラスコンクリートにしたものである。
【図３８】魚道形成用部材の下部をポーラスコンクリートにしたものである。
【図３９】魚道形成用部材をポーラスコンクリートで構成したものである。
【図４０】魚道形成用部材の長手方向の中間部をポーラスコンクリートにしたものである。
【図４１】魚道形成用部材をポーラスコンクリートとし、底部に隧道状の孔を設けたものである。
【図４２】水路形成用ブロックで淵処を構成し、それと魚道形成用部材を組み合わせたものを示した斜視図である。
【図４３】水路形成用ブロックで淵処を構成し、それと魚道形成用部材を組み合わせたものを示した平面図である。
【図４４】魚道形成用部材の下流側に休憩場及び隠れ場用の段部を形成したものである。
【図４５】魚道形成用部材の下流側に休憩場及び隠れ場用の段部を形成したものである。
【図４６】魚道形成用部材の下流側に休憩場及び隠れ場用の段部を形成したものである。
【図４７】魚道形成用部材の下流側に休憩場及び隠れ場用の段部を形成したものである。
【図４８】魚道形成用部材と水路形成用ブロックとの設置例を示したものである。
【図４９】魚道形成用部材と水路形成用ブロックとの設置例を示したものである。
【図５０】魚道形成用部材と水路形成用ブロックとの設置例を示したものである。
【符号の説明】
【００３６】
１        Ｕ形水路形成用ブロック
２        水路
３        側壁
４、４ａ  突出部
５        魚道形成用部材
６        勾配
７        径
８        水路式魚道ブロック
９        箱型水路形成用ブロック
１０      半円状魚道形成用部材断面
１１      半長楕円状魚道形成用部材断面
１２      半小判状魚道形成用部材断面
１３      Ｌ形水路形成用ブロック
１４      現場打ちコンクリート
１５      傾斜Ｌ形水路形成用ブロック
１６      連結金具
１７      嵌合穴
１８      アンカー筋
１９      面取り構成、段部、切り欠き部
２０      インサート部体
２１      貫通穴
２２      モルタル、セメントペースト、その他接着剤
２３      凹部
２４      嵌合凹部
２５      嵌合凸部
２６      嵌合凹部
２７      洗い出し模様
２８      擬岩模様
２９      玉石模様
３０      孔
３１      段差、勾配変化点
３２      ポーラスコンクリート
３３      淵処を設けた水路ブロック
３４      段部
３５      湾処部
【図１】
2005282287.tif 000003
【図２】
2005282287.tif 000004
【図３】
2005282287.tif 000005
【図４】
2005282287.tif 000006
【図５】
2005282287.tif 000007
【図６】
2005282287.tif 000008
【図７】
2005282287.tif 000009
【図８】
2005282287.tif 000010
【図９】
2005282287.tif 000011
【図１０】
2005282287.tif 000012
【図１１】
2005282287.tif 000013
【図１２】
2005282287.tif 000014
【図１３】
2005282287.tif 000015
【図１４】
2005282287.tif 000016
【図１５】
2005282287.tif 000017
【図１６】
2005282287.tif 000018
【図１７】
2005282287.tif 000019
【図１８】
2005282287.tif 000020
【図１９】
2005282287.tif 000021
【図２０】
2005282287.tif 000022
【図２１】
2005282287.tif 000023
【図２２】
2005282287.tif 000024
【図２３】
2005282287.tif 000025
【図２４】
2005282287.tif 000026
【図２５】
2005282287.tif 000027
【図２６】
2005282287.tif 000028
【図２７】
2005282287.tif 000029
【図２８】
2005282287.tif 000030
【図２９】
2005282287.tif 000031
【図３０】
2005282287.tif 000032
【図３１】
2005282287.tif 000033
【図３２】
2005282287.tif 000034
【図３３】
2005282287.tif 000035
【図３４】
2005282287.tif 000036
【図３５】
2005282287.tif 000037
【図３６】
2005282287.tif 000038
【図３７】
2005282287.tif 000039
【図３８】
2005282287.tif 000040
【図３９】
2005282287.tif 000041
【図４０】
2005282287.tif 000042
【図４１】
2005282287.tif 000043
【図４２】
2005282287.tif 000044
【図４３】
2005282287.tif 000045
【図４４】
2005282287.tif 000046
【図４５】
2005282287.tif 000047
【図４６】
2005282287.tif 000048
【図４７】
2005282287.tif 000049
【図４８】
2005282287.tif 000050
【図４９】
2005282287.tif 000051
【図５０】
2005282287.tif 000052